【手続補正書】
【提出日】平成31年1月11日(2019.1.11)
【手続補正１】
【補正対象書類名】明細書
【補正対象項目名】００９３
【補正方法】変更
【補正の内容】
【００９３】
本開示による組成物及び方法は、試料上の染みのほぼ全てを除去することができたと分かった。界面活性剤、キレート剤、及び酸を含んだ組成物（実施例Ａ〜Ｃ）のそれぞれは、最も軽度の染みでは４未満、中レベルの染みでは５未満、そして最も強い染みでは５．２以下のΔｂ＊をもたらした。キレート剤を含まなかった実施例Ｄは、対照よりも良好に機能したが、実施例Ａ〜Ｃほど染みに対して効果的ではなかった。組成物Ｂ（実施例Ｂ）の結果は、本組成物をシリカ担体と共に製剤化すると、その有効性を保持しながら簡便な顆粒状粉末が生成され得ることを示した。
本発明の本実施形態の例を以下の項目［１］〜［２４］に列記する。
［１］
布地上の日焼け止めローションにより生じる染みを処理するための方法であって、
（ａ）１つ以上の界面活性剤、１つ以上のキレート剤、及び１つ以上の酸を水性溶媒と混合することにより、７未満のｐＨを有する使用溶液を調製することと、
（ｂ）上記使用溶液を上記布地に適用することと、
（ｃ）上記布地を濯ぐことと、を含む、方法。
［２］
上記使用溶液が、約３００〜３５００ｐｐｍの界面活性剤、約２００〜１５００ｐｐｍのキレート剤、及び約３００〜４０００ｐｐｍの酸を含む、項目１に記載の方法。
［３］
上記界面活性剤、キレート剤、及び酸が、固体組成物として投入される、項目１または２に記載の方法。
［４］
上記固体組成物が、約１５〜約６０重量％の界面活性剤、及び約４〜約１８重量％のキレート剤を含む、項目３に記載の方法。
［５］
上記固体組成物が、凝固剤を含む流動性固体として製剤化される、項目３または４に記載の方法。
［６］
上記界面活性剤、キレート剤、及び酸が、液体成分として投入される、項目１または２に記載の方法。
［７］
上記界面活性剤、キレート剤、及び酸が、混合物として投入される、項目６に記載の方法。
［８］
上記界面活性剤、キレート剤、及び酸が、別々に投入される、項目６に記載の方法。
［９］
上記界面活性剤が、アニオン性界面活性剤、非イオン性界面活性剤、またはそれらの組み合わせを含む、項目１〜８のいずれか１項に記載の方法。
［１０］
上記酸が、クエン酸を含む、項目１〜９のいずれか１項に記載の方法。
［１１］
上記方法が、上記布地内の日焼け止め染みを、染みを付ける前の上記布地と比較して５以下のΔｂ＊に低減させることができる、項目１〜１０のいずれか１項に記載の方法。
［１２］
上記使用溶液が、約３〜５のｐＨを有する、項目１〜１１のいずれか１項に記載の方法。
［１３］
布地上の日焼け止め染みを処理するための方法であって、
（ｄ）洗浄溶液に、約１５〜約６０重量％の界面活性剤、約４〜約１８重量％のキレート剤、及び約１０〜約４０重量％の酸またはその塩を含む、固体組成物を適用することによって、７未満のｐＨを有する上記洗浄溶液を調製することと、
（ｅ）上記布地を上記洗浄溶液中で洗浄することと、を含み、
上記方法が、上記布地内の上記染みを、染みを付ける前の上記布地と比較して７以下のΔｂ＊に低減させることができる、方法。
［１４］
日焼け止め染みを処理するための組成物であって、
約１５〜約６０重量％の界面活性剤と、
約４〜約１８重量％のキレート剤と、
１つ以上の酸またはその塩と、を含み、
水中に溶解されたときに７未満のｐＨを有する、組成物。
［１５］
上記組成物が、流動性固体として製剤化される、項目１４に記載の組成物。
［１６］
上記組成物が、凝固剤をさらに含む、項目１４または１５に記載の組成物。
［１７］
上記凝固剤が、ヒュームドシリカを含む、項目１５または１６に記載の組成物。
［１８］
上記組成物が、粉末または顆粒として製剤化される、項目１４〜１７のいずれか１項に記載の組成物。
［１９］
上記界面活性剤が、アニオン性界面活性剤、非イオン性界面活性剤、またはそれらの組み合わせを含む、項目１４〜１８のいずれか１項に記載の組成物。
［２０］
上記組成物が、約１０〜約４０重量％の酸を含み、上記酸が、室温で固体である、項目１４〜１９のいずれか１項に記載の組成物。
［２１］
上記酸が、クエン酸を含む、項目１４〜２０のいずれか１項に記載の組成物。
［２２］
上記組成物が、布地内の日焼け止め染みを、染みを付ける前の上記布地と比較して７以下のΔｂ＊に低減させることができる、項目１４〜２１のいずれか１項に記載の組成物。
［２３］
上記組成物が、布地内の日焼け止め染みを、染みを付ける前の上記布地と比較して５以下のΔｂ＊に低減させることができる、項目１４〜２２のいずれか１項に記載の組成物。
［２４］
日焼け止め染みを処理するための組成物であって、
約１５〜約６０重量％の界面活性剤と、
約４〜約１８重量％のキレート剤と、
約１０〜約４０重量％の酸またはその塩と、を含み、
固体として製剤化される、組成物。
【手続補正２】
【補正対象書類名】特許請求の範囲
【補正対象項目名】全文
【補正方法】変更
【補正の内容】
【特許請求の範囲】
【請求項１】
布地上の日焼け止めローションにより生じる染みを処理するための方法であって、
（ａ）濃縮組成物を水で希釈することにより、７未満のｐＨを有する使用溶液を調製することであって、前記濃縮組成物は、
ｉ．非イオン性界面活性剤とアニオン性界面活性剤とを含む、２０〜５０重量％の界面活性剤系と、
ｉｉ．ホスフェート、ホスホネート、アミノ−カルボキシレート、及びこれらの組み合わせからなる群から選択される、４〜１８重量％の１つ以上のキレート剤と、
ｉｉｉ．２５〜５０重量％の酸またはその塩であって、前記酸は前記キレート剤とは異なり、グリコール酸、クエン酸、乳酸、ギ酸、酢酸、プロピオン酸、酪酸、吉草酸、カプロン酸、グルコン酸、イタコン酸、トリクロロ酢酸、安息香酸、尿素塩酸塩、及びこれらの組み合わせからなる群から選択される、酸またはその塩と、
を含む、ことと、
（ｂ）前記使用溶液を前記布地に適用することと、
（ｃ）前記布地を濯ぐことと、を含む、方法。
【請求項２】
前記使用溶液が、３００〜３５００ｐｐｍの界面活性剤、２００〜１５００ｐｐｍのキレート剤、及び３００〜４０００ｐｐｍの酸を含む、請求項１に記載の方法。
【請求項３】
前記界面活性剤、キレート剤、及び酸が、固体組成物として投入される、請求項１または２に記載の方法。
【請求項４】
前記固体組成物が、１５〜６０重量％の界面活性剤、及び４〜１８重量％のキレート剤を含む、請求項３に記載の方法。
【請求項５】
前記固体組成物が、凝固剤を含む流動性固体として製剤化される、請求項３または４に記載の方法。
【請求項６】
前記界面活性剤、キレート剤、及び酸が、液体成分として投入される、請求項１または２に記載の方法。
【請求項７】
前記界面活性剤、キレート剤、及び酸が、混合物として投入される、請求項６に記載の方法。
【請求項８】
前記界面活性剤、キレート剤、及び酸が、別々に投入される、請求項６に記載の方法。
【請求項９】
前記界面活性剤系は、２０〜４０重量％の非イオン性界面活性剤と、５〜１０重量％のアニオン性界面活性剤を含む、請求項１〜８のいずれか１項に記載の方法。
【請求項１０】
前記酸が、クエン酸を含む、請求項１〜９のいずれか１項に記載の方法。
【請求項１１】
前記方法が、前記布地内の日焼け止め染みを、染みを付ける前の前記布地と比較して５以下のΔｂ＊に低減させることができる、請求項１〜１０のいずれか１項に記載の方法。
【請求項１２】
前記使用溶液が、約３〜５のｐＨを有する、請求項１〜１１のいずれか１項に記載の方法。
【請求項１３】
日焼け止め染みを処理するための組成物であって、
少なくとも一つの非イオン性界面活性剤と少なくとも一つのアニオン性界面活性剤とを含む、１５〜６０重量％の界面活性剤系と、
ホスフェート、ホスホネート、アミノ−カルボキシレート、及びこれらの組み合わせからなる群から選択される、４〜１８重量％のキレート剤と、
２５〜５０重量％の酸またはその塩であって、前記酸は前記キレート剤とは異なり、グリコール酸、クエン酸、乳酸、ギ酸、酢酸、プロピオン酸、酪酸、吉草酸、カプロン酸、グルコン酸、イタコン酸、トリクロロ酢酸、安息香酸、尿素塩酸塩、及びこれらの組み合わせからなる群から選択される、酸またはその塩と、を含む、組成物。
【請求項１４】
前記組成物が、流動性固体として製剤化される、請求項１３に記載の組成物。
【請求項１５】
前記組成物が、凝固剤をさらに含む、請求項１３又は１４に記載の組成物。
【請求項１６】
前記凝固剤が、ヒュームドシリカを含む、請求項１５に記載の組成物。
【請求項１７】
前記組成物が、粉末または顆粒として製剤化される、請求項１３〜１６のいずれか１項に記載の組成物。
【請求項１８】
前記界面活性剤系は、２０〜４０重量％の非イオン性界面活性剤と、５〜１０重量％のアニオン性界面活性剤を含む、請求項１３〜１７のいずれか１項に記載の組成物。
【請求項１９】
前記組成物が、１０〜４０重量％の酸を含み、前記酸が、室温で固体である、請求項１３〜１８のいずれか１項に記載の組成物。
【請求項２０】
前記酸が、クエン酸を含む、請求項１３〜１９のいずれか１項に記載の組成物。
【請求項２１】
前記組成物が、布地内の日焼け止め染みを、染みを付ける前の前記布地と比較して７以下のΔｂ＊に低減させることができる、請求項１３〜２０のいずれか１項に記載の組成物。
【請求項２２】
前記組成物が、布地内の日焼け止め染みを、染みを付ける前の前記布地と比較して５以下のΔｂ＊に低減させることができる、請求項１３〜２１のいずれか１項に記載の組成物。
【請求項２３】
前記キレート剤が、Ｎ−ヒドロキシエチルイミノ二酢酸、ニトリロ三酢酸、エチレンジアミン四酢酸、メチルグリシン二酢酸、及びＮ−ヒドロキシエチル−エチレンジアミン三酢酸からなる群から選択される、請求項１〜１２のいずれか一項に記載の方法。
【請求項２４】
前記方法が、布地内の日焼け止め染みを、染みを付ける前の前記布地と比較して７以下のΔｂ＊に低減させることができる、請求項１〜１２のいずれか一項に記載の方法。
【請求項２５】
前記キレート剤が、Ｎ−ヒドロキシエチルイミノ二酢酸、ニトリロ三酢酸、エチレンジアミン四酢酸、メチルグリシン二酢酸、及びＮ−ヒドロキシエチル−エチレンジアミン三酢酸からなる群から選択される、請求項１３〜２２のいずれか一項に記載の組成物。